(57)【要約】【課題】少ない部品で構成され、占有面積が小さく容易に組み立てることができ、一度で容易に、光ピックアップの光軸のディスク直径線からのずれを調整することが可能である調節機構を備える光ディスク装置を提供する。【解決手段】光ディスク装置１は、シャーシ２と、光ピックアップ３と、ガイド軸４，５と、ターンテーブル１０とを備えている。ガイド軸４の一端部は、軸保持部７に支持されている。ガイド軸４の他端部には、円柱状をなす連結突部がガイド軸４の軸心と同心に設けられている。連結突部は、ガイド軸４より大径の底面を有し、円柱状をなす回転部８に、ガイド軸４の軸心が回転部８の回転軸と偏心する状態で嵌入されている。回転部８を回転させることにより、光ピックアップ３の対物レンズ３１の中心が直径線１２を通るように、ガイド軸４のシャーシ２の面方向の位置が調整される。【選択図】図１
2011103152.tif 000002
【特許請求の範囲】
【請求項１】
光ディスクの一面にビーム光を照射する光ピックアップと、該光ピックアップを前記光ディスクの径方向に案内するためのガイド軸と、前記ビーム光の中心が前記光ディスクの直径線を通るように前記ガイド軸を前記一面に平行に揺動させて該ガイド軸の位置を調節する調節機構とを備える光ディスク装置において、
前記調節機構は、
前記ガイド軸の一端部に設けられ、回転することで、前記ガイド軸を揺動させる回転部と、
該回転部に当接するストッパと
を備えることを特徴とする光ディスク装置。
【請求項２】
前記回転部は該回転部の回転軸に交叉する面が略円状又は多角形状をなし、前記ガイド軸の中心軸は前記回転軸と偏心していることを特徴とする請求項１に記載の光ディスク装置。
【請求項３】
前記ガイド軸の前記一端部に連結突部が設けられており、
該連結突部は前記回転部に嵌入されていることを特徴とする請求項２に記載の光ディスク装置。
【請求項４】
前記ガイド軸の前記一端部に連結突部が設けられており、
該連結突部は前記回転部にねじ止めされていることを特徴とする請求項２に記載の光ディスク装置。
【請求項５】
前記回転部は該回転部の回転軸に交叉する面が略楕円状をなすことを特徴とする請求項１に記載の光ディスク装置。
【請求項６】
前記回転部の端面に、ドライバと噛合される噛合部が設けられていることを特徴とする請求項２から５までのいずれか一つに記載の光ディスク装置。
【請求項７】
前記回転部を前記ストッパに向けて付勢する板ばねを備えることを特徴とする請求項１から６までのいずれか一つに記載の光ディスク装置。
【発明の詳細な説明】
【技術分野】
【０００１】
本発明は、光ディスク装置に関し、特に、光ピックアップのビーム光の中心が光ディスクの直径線を通るように、光ピックアップを案内するガイド軸の位置を調節する調節機構を備えた光ディスク装置に関する。
【背景技術】
【０００２】
ＣＤ、ＤＶＤ、ＢＤ等の光ディスクの記録及び再生を行う光ディスク装置においては、トラッキングエラー信号の精度を改善してプレイアビリティーを向上させるために、光ディスクの記録及び再生を行うための光ピックアップのビーム光の中心（光軸）の光ディスク上の軌跡が該光ディスクの直径線上にあるようにする必要がある。光ディスク装置の組立時の誤差及び部品精度により生じた誤差により、前記軌跡が前記直径線上にないことになる場合、事後的に補正する必要がある。このため、光ディスク装置においては、前記光軸の光ディスクに対する傾角の調整（チルト調整）、及び前記軌跡と前記直径線とのずれ（ディセンター）の調整が行われている。
【０００３】
チルト調整は、光ピックアップの往復移動を案内する２本のガイド軸の端部を支持する３〜４個の軸支持部により、前記端部のシャーシに対する高さ位置を調整することにより行われている。
また、光ディスクをチャッキングするターンテーブルを有し、変位するように構成されたメインシャーシと、光ピックアップを有し、メインシャーシ上に揺動可能に枢支されたサブシャーシとを備え、サブシャーシの揺動により光ピックアップが光ディスクの直径線に対し傾くように構成された光ディスク装置も開発されている。
【０００４】
そして、ディセンター調整を行うには、ガイド軸のシャーシ面方向の位置を調整する必要がある。
特許文献１には、スピンドルモータと、ピックアップ組立体と、主軸及び副軸からなるピックアップ用ガイド手段とを備え、副軸の両端部及び主軸の一端部に備えられた３個の傾き調整用軸保持部により副軸及び主軸の端部の高さを調整して、光ピックアップの光軸の傾きを調整し、主軸の他端部に備えられたずれ調整用軸保持部により、ピックアップ組立体のシャーシ面上の位置を調整するように構成された光ディスク装置の発明が開示されている。
ずれ調整用軸保持部は、ガイド軸と平行にシャーシに突設された固定部材と、固定部材から離れる方向にガイド軸の端部を押圧するばねと、ばねと反対側で前記端部の移動を抑止するように前記端部に係止される円板状の頭部、及び固定部材に螺合される脚部を有する係止部材（送りねじ）とを備えている。
【先行技術文献】
【特許文献】
【０００５】
【特許文献１】特開２０００−２０９６２号公報
【発明の概要】
【発明が解決しようとする課題】
【０００６】
しかし、上述の２枚のシャーシを備える光ディスク装置の場合、シャーシの設置及び揺動のためのスペースを要し、また、部品が多くなるのでコストの面で不利であるという問題があった。
また、特許文献１の光ディスク装置においては、ずれ調整用軸保持部は、光ピックアップの移動方向とディスク中心とのずれを調整するために、固定部材、ばね、送りねじ等の構成部品を多数備えており、占有面積も大きくなり、組み立てに時間がかかるという問題がある。
そして、まず、一方のガイド軸をシャーシに平行な面内で移動させることでずれを調整し、次いで、２本のガイド軸のシャーシに対する高さを調整するというように二段階で調整を行っており、調整方向が異なることもあって、同一面内で一度に調整する場合と比較すると作業が煩雑になるという問題もある。
【０００７】
本発明は斯かる事情に鑑みてなされたものであり、少ない部品で構成され、占有面積が小さく容易に組み立てることができ、一度で、容易に光ピックアップの光軸のディスク直径線からのずれを調整することができる調節機構を備える光ディスク装置を提供することを目的とする。
【課題を解決するための手段】
【０００８】
本発明に係る光ディスク装置は、光ディスクの一面にビーム光を照射する光ピックアップと、該光ピックアップを前記光ディスクの径方向に案内するためのガイド軸と、前記ビーム光の中心が前記光ディスクの直径線を通るように前記ガイド軸を前記一面に平行に揺動させて該ガイド軸の位置を調節する調節機構とを備える光ディスク装置において、前記調節機構は、前記ガイド軸の一端部に設けられ、回転することで、前記ガイド軸を揺動させる回転部と、該回転部に当接するストッパとを備えることを特徴とする。
【０００９】
本発明においては、調節機構の構成が簡単であり、光ディスク装置を容易に安価に組み立てることができる。また、回転部を回転させることのみで、ガイド軸の位置の調節を容易に行うことができ、同一面内で一度に容易に調整することができる。
【００１０】
本発明に係る光ディスク装置は、前記回転部は該回転部の回転軸に交叉する面が略円状又は多角形状をなし、前記ガイド軸の中心軸は前記回転軸と偏心していることを特徴とする。
【００１１】
本発明においては、回転軸を中心に回転部を回転させることにより、ガイド軸を容易に揺動させることができる。
【００１２】
本発明に係る光ディスク装置は、前記ガイド軸の前記一端部に連結突部が設けられており、該連結突部は前記回転部に嵌入されていることを特徴とする。
【００１３】
本発明においては、容易に回転部をガイド軸に固定することができる。
【００１４】
本発明に係る光ディスク装置は、前記ガイド軸の前記一端部に連結突部が設けられており、該連結突部は前記回転部にねじ止めされていることを特徴とする。
【００１５】
本発明においては、さらに固定された状態で回転部をガイド軸に設けることができる。
【００１６】
本発明に係る光ディスク装置は、前記回転部は該回転部の回転軸に交叉する面が略楕円状をなすことを特徴とする。
【００１７】
本発明においては、回転部の側面がストッパに当接する状態で回転部を回転させることにより、ガイド軸が揺動される。
【００１８】
本発明に係る光ディスク装置は、前記回転部の端面に、ドライバと噛合される噛合部が設けられていることを特徴とする。
【００１９】
本発明においては、容易に、精度良く回転部を回転させることができる。
【００２０】
本発明に係る光ディスク装置は、前記回転部を前記ストッパに向けて付勢する板ばねを備えることを特徴とする。
【００２１】
本発明においては、より堅固に回転部をストッパに固定することができる。
【発明の効果】
【００２２】
本発明によれば、ガイド軸の一端部に設けられ、回転することでガイド軸を揺動させる回転部と、回転部に当接するストッパとを有する調節機構を備えるので、部品が少なくて済み、占有面積が小さく容易に組み立てることができるとともに、一度で容易に、光ピックアップのビーム光の光軸のディスク直径線からのずれを調整することが可能である。
そして、上述の調節機構を備えるので、トラッキングエラー信号の精度が改善されてプレイアビリティーが向上する。
【図面の簡単な説明】
【００２３】
【図１】本発明の実施の形態１に係る光ディスク装置を示す一部平面図である。
【図２】図１の一部拡大図である。
【図３】本発明の実施の形態１に係る光ディスク装置の回転部及びストッパを示す一部正面図である。
【図４】本発明の実施の形態１に係る光ディスク装置を示す一部平面図である。
【図５】図４の一部拡大図である。
【図６】本発明の実施の形態１に係る光ディスク装置の噛合部にドライバを噛合し、回転部を反時計回りに、対物レンズの中心がディスク直径線を通るように回転させた状態を示す一部平面図である。
【図７】図６の一部拡大図である。
【図８】本発明の実施の形態２に係る光ディスク装置を示す一部平面図である。
【図９】本発明の実施の形態２に係る光ディスク装置を示す一部拡大正面図である。
【図１０】本発明の実施の形態３に係る光ディスク装置のガイド軸の一端部を示す一部破断平面図である。
【図１１】本発明の実施の形態４に係る光ディスク装置を示す一部正面図である。
【発明を実施するための形態】
【００２４】
以下、本発明をその実施の形態を示す図面に基づいて具体的に説明する。
実施の形態１．
図１は本発明の実施の形態１に係る光ディスク装置１を示す一部平面図、図２は図１の一部拡大図、図３は回転部８及びストッパ９を示す一部正面図である。
光ディスク装置１は、シャーシ２と、光ディスク１１にビーム光を照射する光ピックアップ３と、光ピックアップ３を摺動可能に支持するための２本のガイド軸４，５と、スピンドルモータ（図示せず）に接続され、光ディスク１１が載置されるターンテーブル１０とを備えている。
光ピックアップ３は、矩形状の台部３２と、台部３２の略中央部に設けられた対物レンズ３１と、台部３２の一方の短辺に設けられた突設部３３，３３と、他方の短辺に設けられた突設部３４とを備えている。突設部３３，３３にはシャーシ２側に開口した溝部（図示せず）が設けられ、突設部３４には、シャーシ２側に開口した溝部３４ａが設けられており、突設部３３，３３は前記溝部によりガイド軸４に係止され、突設部３４は溝部３４ａによりガイド軸５に係止されている。突設部３４は溝部３４ａにより光ディスク１１の直径線１２に交叉する方向にガイド軸５上を摺動できるように構成されている。
【００２５】
一方のガイド軸５の両端部は、シャーシ２上に設けられた軸保持部６，６によって支持されている。軸保持部６は、上部にＵ字状の切り欠きが設けられ、ガイド軸５の端部の上下動を許容する支持部６１と、円板状をなし、裏面にガイド軸４の端部の上部が当接する頭部、及びシャーシ２に螺合された脚部を有するねじ部６２と、支持部６１とねじ部６２との間の位置に、ガイド軸５の前記端部の下部に当接するようにシャーシ２に設けられたばね（図示せず）とを備えている。ねじ部６２を回転させることにより、ねじ部６２の頭部がシャーシ２に近づいたり離れたりするので、該頭部に当接するガイド軸５の前記端部のシャーシ２に対する高さ（離隔距離）を微調整することができる。
【００２６】
他方のガイド軸４の一端部は、軸保持部７によって支持されている。軸保持部７は、軸保持部６と同様の構成を有する支持部７１、ねじ部７２、及びばね（図示せず）を備えている。そして、ガイド軸４がシャーシ２の面方向に揺動できるように、支持部７１は、切り欠きにおいてガイド軸４の一端部の上下動及び面方向の摺動を許容する。
【００２７】
ガイド軸４の他端部には、ガイド軸４より小径の底面を有し、円柱状をなす連結突部４１がガイド軸４の軸心と同心に設けられている。連結突部４１は、ガイド軸４より大径の底面を有し、円柱状をなす回転部８に、ガイド軸４の軸心が回転部８の回転軸と偏心する状態で嵌入（圧入）されている。そして、回転部８の端面には、プラスのドライバと噛合される噛合部８１が設けられている。従って、噛合部８１にプラスのドライバを噛合し、例えば図２及び図３に示す状態から回転部８を時計回りに１８０度回転させた場合、ガイド軸４は、回転部８の回転軸に対し線対称の位置に揺動されることになる。
ストッパ９は、円板状をなす基板部９２と、該基板部９２より小径であり、該基板部９２と同心に設けられた摺動抑止部９１とを備えている。回転部８は、摺動抑止部９１に当接する状態で基板部９２に載置され、摺動が抑止されている。
軸保持部７、回転部８、及びストッパ９により本発明の調節機構が構成される。
【００２８】
以上のように構成された光ディスク装置１においては、ガイド軸４，５により光ピックアップ３が光ディスク１１の径方向に案内されるが、対物レンズ３１の中心の直径線１２からのずれ（ディセンター）を調整するために、ガイド軸４を光ディスク１１の面に平行に揺動させる。
【００２９】
以下に、ディセンターの調整の方法について説明する。
図４は光ディスク装置１を示す一部平面図、図５は図４の一部拡大図である。
図４及び図５においては、光ピックアップ３の対物レンズ３１の中心が直径線１２上ではなく、該直径線１２よりもやや軸保持部６側にずれた状態、すなわち、ガイド軸４が回転部８の端面の摺動抑止部９１側部分に位置する状態を示している。この状態で光ピックアップ３をガイド軸４，５上で摺動させた場合、光ピックアップ３のビーム光の光軸の光ディスク１１上の軌跡は直径線１２とは一致しないことになる。
【００３０】
図６は、噛合部８１にドライバを噛合し、回転部８を反時計回りに、対物レンズ３１の中心が直径線１２を通るように回転させた状態を示す一部平面図、図７は図６の一部拡大図である。
ここでは、図７に示すように、回転部８が１８０度回転され、ガイド軸４が前記端面の反対側部分に位置することになった場合、光ピックアップ３の突設部３４がガイド軸５上を図中矢印の左方向に摺動して、対物レンズ３１の中心が直径線１２上となる位置に移動することになる。
【００３１】
本実施の形態においては、ディセンターの調節機構は軸保持部７、回転部８、及びストッパ９により構成されており、部品は少なくて済み、占有面積が小さく容易に組み立てることができるとともに、一度に容易にディセンターを調整することが可能である。
【００３２】
本実施の形態においては、光ディスク装置１の組み立て時に、軸保持部６，６，７の高さはストッパ９の基板部９２の高さに合わせて調整されており、必ずしもディセンターの調整後に軸保持部６，６，７の高さを調整する必要はない。例えば図２に示す状態から回転部８を１８０度回転した場合は、回転の前後でガイド軸４の高さは一致しているが、１８０度以外の角度で回転させた場合、回転の前後でガイド軸４の高さが変わることになる。また、より確実にビーム光の中心が直径線１２を通るように、軸保持部６，６，７の高さを微調整することにしてもよい。
【００３３】
そして、ガイド軸４の回転部８側の端部の揺動に追随して、ガイド軸４の軸保持部７側の端部が支持部７１の切り欠きを摺動することにしてもよく、前記端部は摺動せず、該端部を中心として、ガイド軸４の回転部８側の端部が枢動するようにしてもよい。ガイド軸４の軸保持部７側の端部が回転部８側の端部の揺動に追随して摺動する場合、ガイド軸４は直径線１２に対してより平行に移動するので、対物レンズ３１の中心の軌跡が直径線１２により近接することになる。
【００３４】
さらに、本実施の形態においては、プラスのドライバと噛合されるように噛合部８１が設けられている場合につき説明しているがこれに限定されるものではなく、噛合部８１とこれに噛合部されるドライバの形状はマイナス状等、他の形状であってもよい。また、噛合部８１を設けずに回転部８を回転させることにしてもよい。
そして、ガイド軸４の直径と回転部８の直径との比率は図１及び２、図４〜７において示した比率に限定されるものではない。
【００３５】
実施の形態２．
本発明の実施の形態２に係る光ディスク装置２１は、実施の形態１に係る光ディスク装置１と同様の構成を有し、回転部８をストッパ９に向けて付勢する板ばね１４を備える点が光ディスク装置１と異なる。
【００３６】
図８は本発明の実施の形態２に係る光ディスク装置２１を示す一部平面図、図９は光ディスク装置２１を示す一部拡大正面図である。図８及び図９中、図１及び図３と同一部分は同一符号を付して詳細な説明を省略する。
板ばね１４は、シャーシ２に取り付けられた取付板部１４ａと、平面視が矩形状をなす斜面部１４ｂと、係止突起部１４ｃとを備えている。
本実施の形態においては、斜面部１４ｂ及び係止突起部１４ｃにより回転部８が摺動抑止部９１及び基板部９２に押圧されて、回転部８の基板部９２からの脱落が防止され、回転部８はストッパ９に堅固に固定されている。
【００３７】
実施の形態３．
本発明の実施の形態３に係る光ディスク装置は、実施の形態１に係る光ディスク装置１と同様の構成を有し、ガイド軸４の端部に設けられた連結突部４２が回転部８にねじ止めされている点が光ディスク装置１と異なる。
【００３８】
図１０は、ガイド軸４の一端部を示す一部破断平面図である。
ガイド軸４の一端部に設けられた連結突部４２は雄ねじであり、回転部８に設けられた雌ねじ８２に螺合されている。
これにより、実施の形態１の光ディスク装置１のように連結突部４１が回転部８に圧入されている場合と比較して、連結突部４２はより堅固に回転部８に固定されている。
【００３９】
実施の形態４．
本発明の実施の形態４に係る光ディスク装置５１は、実施の形態１に係る光ディスク装置１と同様の構成を有し、回転部１８の底面が略楕円状をなす点が光ディスク装置１と異なる。
【００４０】
図１１は、光ディスク装置５１を示す一部正面図である。図中、図３と同一部分は同一符号を付して詳細な説明を省略する。
上述したように、本実施の形態４に係る光ディスク装置５１においては、回転部１８の底面が略楕円状をなし、ガイド軸４の連結突部４１は、連結突部４１の軸心が回転部１８の中心と一致する状態で、回転部１８に圧入されている。
回転部１８は、摺動抑止部９１の側面に当接する状態で基板部９２に載置されている。
板ばね１５は、シャーシ２に取り付けられた取付板部１５ａと、平面視が矩形状をなす斜面部１５ｂとを備えている。斜面部１５ｂにより回転部１８が摺動抑止部９１及び基板部９２に押圧されて、回転部１８の基板部９２からの脱落が防止され、回転部１８はストッパ９に堅固に固定されている。
【００４１】
本実施の形態においては、回転部１８の側面がストッパ９の摺動抑止部９１の側面及び基板部９２の上面に当接する状態で回転部１８を回転させて、対物レンズ３１の中心が直径線１２を通るようにガイド軸４のシャーシ２の面方向の位置を調整する。
【００４２】
本実施の形態においては、調節機構は軸保持部７、回転部１８、及びストッパ９により構成され、部品は少なくて済み、占有面積が小さく容易に組み立てることができるとともに、一度で容易に、光ピックアップ３の光軸の直径線１２からのずれを調整することが可能である。
なお、本実施の形態においても、回転部１８の端面に、実施の形態１と同様にドライバと噛合される噛合部を設けることにしてもよい。
【００４３】
そして、前記実施の形態１乃至４においては、回転部８，１８の底面が略円状，略楕円状をなす場合につき説明しているがこれに限定されるものではなく、正八面体等の多角形状をなす場合であってもよい。
【符号の説明】
【００４４】
１、２１、５１  光ディスク装置
３  光ピックアップ
３１  対物レンズ
３２  台部
３３、３４  突設部
３４ａ  溝部
４、５  ガイド軸
４１、４２  連結突部
６、７  軸保持部
６１、７１  支持部
６２、７２  ねじ部
８  回転部
８１  噛合部
８２  雌ねじ
１０  ターンテーブル
１１  光ディスク
１２  直径線
１４、１５  板ばね
１４ａ、１５ａ  取付板部
１４ｂ、１５ｂ  斜面部
１４ｃ  係止突起部
【図１】
2011103152.tif 000003
【図２】
2011103152.tif 000004
【図３】
2011103152.tif 000005
【図４】
2011103152.tif 000006
【図５】
2011103152.tif 000007
【図６】
2011103152.tif 000008
【図７】
2011103152.tif 000009
【図８】
2011103152.tif 000010
【図９】
2011103152.tif 000011
【図１０】
2011103152.tif 000012
【図１１】
2011103152.tif 000013